(57)【特許請求の範囲】
【請求項１】
再生映像を表示するために、表示装置へ映像信号を供給する信号供給部と、
前記再生映像を観察する複数の人物と前記再生映像との間の複数の距離をそれぞれ規定する複数の距離情報を取得する距離情報取得部と、
前記複数の距離の中からどの距離を選択するかを規定する距離選択方法をあらかじめ設定する距離選択方法設定部と、
前記距離選択方法設定部で設定された距離選択方法に従って、前記複数の距離の中から１つの距離を選択する距離選択部と、
前記距離選択部により選択された距離に応じて、前記再生映像の倍率が変化するように前記映像信号を加工する変倍制御部と、
を備えることを特徴とする表示制御装置。
【請求項２】
請求項１に記載の表示制御装置において、 
音響再生部を有する表示装置へ映像信号および音響信号を供給する信号供給部と、
前記距離選択部により選択された距離に応じて前記音響再生部で再生する音の大きさを変化させる音響制御部と、をさらに備えることを特徴とする表示制御装置。
【請求項３】
請求項１に記載の表示制御装置において、
前記変倍制御部は、画像、文字、またはマークの拡大もしくは縮小を行うことを特徴とする表示制御装置。
【請求項４】
請求項１に記載の表示制御装置において、
前記再生映像を観察する複数の人物を撮影するカメラから情報を受信する受信部をさらに備え、前記距離情報取得部は、前記カメラから受信した情報に基づき前記複数の距離情報を取得することを特徴とする表示制御装置。
【請求項５】
請求項１に記載の表示制御装置において、
前記距離選択方法設定部は、前記複数の距離のうち最も遠い距離を選択する距離選択方法を設定することを特徴とする表示制御装置。
【請求項６】
請求項１に記載の表示制御装置において、
前記距離選択方法設定部は、前記複数の距離のうち最も近い距離を選択する距離選択方法を設定することを特徴とする表示制御装置。
【請求項７】
請求項１に記載の表示制御装置において、
前記距離選択方法設定部は、前記複数の距離の平均距離を選択する距離選択方法を設定することを特徴とする表示制御装置。
【請求項８】
請求項４に記載の表示制御装置において、
前記カメラからの情報は、前記カメラによる撮影画像を含み、
前記受信された撮影画像から顔情報を検出して認識処理を行うユーザ認識部をさらに備え、
前記距離選択方法設定部は、前記ユーザ認識部で認識された人物と前記再生映像との間の距離を選択する距離選択方法を設定することを特徴とする表示制御装置。
【請求項９】
請求項４に記載の表示制御装置において、
前記カメラからの情報は、前記カメラによる撮影画像を含み、
前記受信された撮影画像から顔情報を検出して認識処理を行うユーザ認識部をさらに備え、
前記距離選択方法設定部は、前記ユーザ認識部で認識されていない人物と前記再生映像との間の距離を選択する距離選択方法を設定することを特徴とする表示制御装置。
【請求項１０】
請求項４に記載の表示制御装置において、
前記変倍制御部は、前記受信部で前記カメラからの情報が受信されると前記映像信号を加工することを特徴とする表示制御装置。
【請求項１１】
請求項５に記載の表示制御装置において、
前記変倍制御部は、前記再生映像の内容が変化するタイミングで前記映像信号を加工することを特徴とする表示制御装置。
【請求項１２】
請求項５に記載の表示制御装置において、
前記変倍制御部は、指示に応じて前記映像信号を加工することを特徴とする表示制御装置。
【請求項１３】
請求項５に記載の表示制御装置において、
前記変倍制御部は、所定間隔で前記映像信号を加工することを特徴とする表示制御装置。
【請求項１４】
請求項１に記載の表示制御装置において、
前記距離選択方法設定部は、前記複数の距離の中からどの距離を選択するかを規定する複数の距離選択方法の中から１つの距離選択方法を予め設定するとことを特徴とする表示制御装置。
【請求項１５】
請求項１に記載の表示制御装置と、
前記映像信号による再生映像を表示する表示装置とを備えることを特徴とする表示システム。
【請求項１６】
請求項１に記載の表示制御装置と、
前記映像信号による再生映像を表示する表示装置と、
テレビ放送を受信して映像信号を得る復調部とを備えることを特徴とするテレビジョンセット。
【発明の詳細な説明】
【技術分野】
【０００１】
本発明は、表示制御装置、表示システム、およびテレビジョンセットに関する。
【背景技術】
【０００２】
ユーザを認識し、ユーザ認識の結果および予め入力される番組情報に応じて、ユーザ好みのジャンルの番組を選局するテレビジョン受像機が知られている（たとえば、特許文献１参照）。【０００３】
【特許文献１】特開２０００−１７５１１７号公報
【発明の開示】
【発明が解決しようとする課題】
【０００４】
従来技術による表示では、距離が離れているユーザにとって見づらいという問題があった。
【課題を解決するための手段】
【０００５】
請求項１の発明は、再生映像を表示するために、表示装置へ映像信号を供給する信号供給部と、前記再生映像を観察する複数の人物と前記再生映像との間の複数の距離をそれぞれ規定する複数の距離情報を取得する距離情報取得部と、前記複数の距離の中からどの距離を選択するかを規定する距離選択方法をあらかじめ設定する距離選択方法設定部と、前記距離選択方法設定部で設定された距離選択方法に従って、前記複数の距離の中から１つの距離を選択する距離選択部と、前記距離選択部により選択された距離に応じて、前記再生映像の倍率が変化するように前記映像信号を加工する変倍制御部と、を備えることを特徴とする。
請求項２の発明は、請求項１に記載の表示制御装置において、 音響再生部を有する表
示装置へ映像信号および音響信号を供給する信号供給部と、前記距離選択部により選択された距離に応じて前記音響再生部で再生する音の大きさを変化させる音響制御部と、をさらに備えることを特徴とする。
請求項３の発明は、請求項１に記載の表示制御装置において、前記変倍制御部は、画像、文字、またはマークの拡大もしくは縮小を行うことを特徴とする。
請求項４の発明は、請求項１に記載の表示制御装置において、前記再生映像を観察する複数の人物を撮影するカメラから情報を受信する受信部をさらに備え、前記距離情報取得部は、前記カメラから受信した情報に基づき前記複数の距離情報を取得することを特徴とする。
請求項５の発明は、請求項１に記載の表示制御装置において、前記距離選択方法設定部は、前記複数の距離のうち最も遠い距離を選択する距離選択方法を設定することを特徴とする。
請求項６の発明は、請求項１に記載の表示制御装置において、前記距離選択方法設定部は、前記複数の距離のうち最も近い距離を選択する距離選択方法を設定することを特徴とする。
請求項７の発明は、請求項１に記載の表示制御装置において、前記距離選択方法設定部は、前記複数の距離の平均距離を選択する距離選択方法を設定することを特徴とする。
請求項８の発明は、請求項４に記載の表示制御装置において、前記カメラからの情報は、前記カメラによる撮影画像を含み、前記受信された撮影画像から顔情報を検出して認識処理を行うユーザ認識部をさらに備え、前記距離選択方法設定部は、前記ユーザ認識部で認識された人物と前記再生映像との間の距離を選択する距離選択方法を設定することを特徴とする。
請求項９の発明は、請求項４に記載の表示制御装置において、前記カメラからの情報は、前記カメラによる撮影画像を含み、前記受信された撮影画像から顔情報を検出して認識処理を行うユーザ認識部をさらに備え、前記距離選択方法設定部は、前記ユーザ認識部で認識されていない人物と前記再生映像との間の距離を選択する距離選択方法を設定することを特徴とする。
請求項１０の発明は、請求項４に記載の表示制御装置において、前記変倍制御部は、前記受信部で前記カメラからの情報が受信されると前記映像信号を加工することを特徴とする。
請求項１１の発明は、請求項５に記載の表示制御装置において、前記変倍制御部は、前記再生映像の内容が変化するタイミングで前記映像信号を加工することを特徴とする。
請求項１２の発明は、請求項５に記載の表示制御装置において、前記変倍制御部は、指示に応じて前記映像信号を加工することを特徴とする。
請求項１３の発明は、請求項５に記載の表示制御装置において、前記変倍制御部は、所定間隔で前記映像信号を加工することを特徴とする。
請求項１４の発明は、請求項１に記載の表示制御装置において、前記距離選択方法設定部は、前記複数の距離の中からどの距離を選択するかを規定する複数の距離選択方法の中から１つの距離選択方法を予め設定するとことを特徴とする。
請求項１５の発明による表示システムは、請求項１に記載の表示制御装置と、前記映像信号による再生映像を表示する表示装置とを備えることを特徴とする。
請求項１６の発明によるテレビジョンセットは、請求項１に記載の表示制御装置と、前記映像信号による再生映像を表示する表示装置と、テレビ放送を受信して映像信号を得る復調部とを備えることを特徴とする。
【発明の効果】
【０００６】
本発明によれば、ユーザが見やすい大きさで再生映像を表示することができる。
【図面の簡単な説明】
【０００７】
【図１】本発明の第一の実施形態による情報再生システムを例示する図である。
【図２】表示制御装置の構成例を説明するブロック図である。
【図３】ＣＰＵが行うメイン処理の流れについて説明するフローチャートである。
【図４】表示モニタに通常表示される「スタートメニュー」画面を例示する図である。
【図５】ズーム表示に切替られた「スタートメニュー」画面を例示する図である。
【図６】表示モニタに通常表示される「アルバム」メニュー画面を例示する図である。
【図７】ズーム表示に切替られた「アルバム」メニュー画面を例示する図である。
【図８】第二の実施形態による情報再生システムを例示する図である。
【図９】ＣＰＵが処理する変形例１〜３を図示した機能ブロック図である。
【図１０】ＣＰＵが処理する変形例４〜７を図示した機能ブロック図である。
【図１１】テレビジョンセット、再生装置、電子カメラから構成される再生システムを示すブロック図である。
【図１２】パーソナルコンピュータへプログラムを提供する様子を示す図である。
【発明を実施するための最良の形態】
【０００８】
以下、図面を参照して本発明を実施するための最良の形態について説明する。
（第一の実施形態）
図１は、本発明の第一の実施形態による表示制御装置１０を含めて構成した情報再生システム（表示システム）を例示する図である。情報再生システムは、表示制御装置１０、電子カメラ２０および表示モニタ３０を組み合わせて構成される。図１の例では、人物Ａ、人物Ｂおよび人物Ｃの３人が、当該情報再生システムによる表示映像および再生音楽を鑑賞する。【０００９】
表示モニタ３０は、液晶表示パネル、プラズマ表示パネル、ＣＲＴもしくは投射型表示器などの映像表示部と音響再生部とを有し、表示制御装置１０が供給する映像信号による画像の再生と、表示制御装置１０が供給する音響信号による音楽や音声などの再生とを行う。電子カメラ２０は、たとえば表示モニタ３０の近傍に載置され、表示モニタ３０を観察する人物Ａ〜人物Ｃを撮影し、撮影画像を表示制御装置１０へ送信する。【００１０】
表示制御装置１０および表示モニタ３０間、ならびに表示制御装置１０および電子カメラ２０間の接続は、それぞれ図１のような無線接続で行っても、ケーブルを用いた有線接続で行ってもよい。【００１１】
図２は、表示制御装置１０の構成例を説明するブロック図である。表示制御装置１０は、ＣＰＵ１０１と、メモリ１０２と、リモコン制御部１０３と、操作部材１０４と、表示部１０５と、外部インターフェイス(I/F)１０６と、電源回路１０７と、通信制御部１０
８と、アンテナ１０９と、ＨＤＤ(Hard Disk Drive)１１０と、メモリスロット１１１と
、ディスクドライブ１１２とを有する。【００１２】
コントローラであるＣＰＵ１０１は、制御プログラムに基づいて、表示制御装置１０を構成する各部から入力される信号を用いて所定の演算を行うなどして、表示制御装置１０の各部を制御する。なお、制御プログラムはＣＰＵ１０１内の不図示の不揮発性メモリに格納されている。【００１３】
メモリ１０２はＣＰＵ１０１の作業用メモリとして使用される。リモコン制御部１０３は、リモコン送信機１１から送信される信号を受信し、受信信号に応じた操作信号をＣＰＵ１０１へ出力する。操作部材１０４は、表示制御装置１０の操作パネル上の操作スイッチなどを含み、操作されたスイッチに対応する操作信号をＣＰＵ１０１へ送出する。表示制御装置１０は、リモコン送信機１１および操作部材１０４のいずれからも操作可能に構成されている。【００１４】
表示部１０５はＬＥＤや液晶表示器などによって構成され、ＣＰＵ１０１からの指示に応じて表示制御装置１０の動作状態などを示す表示を行う。外部インターフェイス１０６は、ＣＰＵ１０１からの指示により外部機器（コンピュータやビデオプレーヤー、ＴＶチューナー等）との間で不図示のケーブルを介してデータを送受信する。【００１５】
電源回路１０７は、電源ケーブル１１３を介して供給される商用電源を表示制御装置１０内で必要な直流電源に変換し、表示制御装置１０の各部へ変換後の電源を供給する。ＨＤＤ１１０は、ＣＰＵ１０１の指示により、画像データ、音声データなどのデータの書き込み、保存および読み出しが可能である。メモリスロット１１１にはメモリカード（不図示）が実装される。メモリカードは不揮発性メモリによって構成され、ＣＰＵ１０１の指示により、画像データ、音声データなどのデータの書き込み、保存および読み出しが可能である。【００１６】
ディスクドライブ１１２には、たとえば、不図示のＤＶＤ（Digital Versatile Disk）が実装される。ＤＶＤは、ＣＰＵ１０１の指示により、画像データ、音声データなどのデータの書き込み、保存および読み出しが可能である。【００１７】
通信制御部１０８は無線送受信回路を含み、ＣＰＵ１０１からの指示によって電子カメラ２０との間、および表示モニタ３０との間でそれぞれ通信を行う。電子カメラ２０との通信内容は、電子カメラ２０に対する制御情報、および電子カメラ２０で撮影された画像データなどである。表示モニタ３０との通信内容は、表示モニタ３０に対する制御情報、および表示モニタ３０で再生する映像信号および音響信号である。アンテナ１０９は通信制御部１０８の送受信アンテナである。【００１８】
＜メイン処理＞
表示制御装置１０のＣＰＵ１０１が行うメイン処理の流れについて、図３のフローチャートを参照して説明する。図３の処理を行うプログラムは、表示制御装置１０のメインスイッチ（不図示）がオン操作され、電源回路１０７からＣＰＵ１０１へ電源供給が開始されると起動する。【００１９】
図３のステップＳ１において、ＣＰＵ１０１は自動表示切替機能がオン設定されているか否かを判定する。表示切替は、表示モニタ３０の表示内容を通常表示時より大きく引き延ばして表示するズーム表示と、ズームしないで表示する通常表示とを切替えるものである。ＣＰＵ１０１は、表示切替を自動的に行うように設定されている場合にステップＳ１を肯定判定してステップＳ２へ進み、表示切替を自動的に行う設定がされていない場合にはステップＳ１を否定判定し、ステップＳ６へ進む。自動表示切替機能のオン／オフ設定は、後述するメニュー処理の中で予め行われる。【００２０】
ステップＳ２において、ＣＰＵ１０１は距離算出処理を行ってステップＳ３へ進む。算出する「距離」は、表示モニタ３０を観察するユーザ（本例の場合は人物Ａ〜人物Ｃ）と表示モニタ３０との間の距離（鑑賞距離と呼ぶ）である。距離算出処理の詳細については後述する。ステップＳ３において、ＣＰＵ１０１は、距離算出処理で取得した鑑賞距離が所定距離より長いか否かを判定する。ＣＰＵ１０１は、上記鑑賞距離が所定距離より長い場合にステップＳ３を肯定判定してステップＳ４へ進み、上記鑑賞距離が所定距離以下の場合にはステップＳ３を否定判定してステップＳ９へ進む。所定距離は、表示モニタ３０の有効表示領域の大きさ（すなわち画面サイズ）に応じて定められる。表示モニタ３０の画面サイズ設定は、予めメニュー処理の中で行われる。【００２１】
ステップＳ４において、ＣＰＵ１０１はズーム表示中か否かを判定する。ＣＰＵ１０１は、ズーム表示中の場合にステップＳ４を肯定判定してステップＳ６へ進み、ズーム表示中でない場合にはステップＳ４を否定判定してステップＳ５へ進む。ズーム表示は、表示モニタ３０に表示される画像、文字、アイコン、マークなどを、通常表示時の表示サイズに比べて大きく引き延ばして拡大表示させるものである。【００２２】
ステップＳ５において、ＣＰＵ１０１はズーム表示のために映像信号を変倍加工し、加工した信号を通信制御部１０８から表示モニタ３０へ送信させる。本実施形態では「スタートメニュー」を表示する場合について説明する。図４は、表示モニタ３０に通常表示される「スタートメニュー」画面４１を例示する図である。「スタートメニュー」画面４１には、再生コンテンツを示す「写真」アイコン、「映画」アイコン、「テレビ」アイコン、および表示制御装置１０の機能設定を行うための「設定」アイコンが含まれる。通常表示では、表示モニタ３０の表示域１０Ｓに表示中の背景画に重ねて、「スタートメニュー」画面４１が略中央にオーバーレイ表示される。【００２３】
図５は、ステップＳ５（図３）においてズーム表示に切替られた「スタートメニュー」画面４１Ａを例示する図である。ズーム表示では、表示モニタ３０の表示域１０Ｓと略等しいサイズに拡大した「スタートメニュー」画面４１Ａが表示される。【００２４】
なお、ＣＰＵ１０１が表示モニタ３０へ音響信号（音楽や音声などの信号）を供給している場合、ステップＳ５において、映像のズーム表示とともに音を大きくするように制御してもよい。【００２５】
図３のステップＳ３を否定判定して進むステップＳ９において、ＣＰＵ１０１はズーム表示中か否かを判定する。ＣＰＵ１０１は、ズーム表示中の場合にステップＳ９を肯定判定してステップＳ１０へ進み、ズーム表示中でない場合にはステップＳ９を否定判定してステップＳ６へ進む。ステップＳ１０において、ＣＰＵ１０１は通常表示のために映像信号を変倍加工し、加工した信号を通信制御部１０８から表示モニタ３０へ送信させる。これにより、図５に例示したようにズーム表示されていた表示モニタ３０の画面表示は、図４に例示した通常表示に切替わる。通常表示は、表示モニタ３０に表示される画像、文字、アイコン、マークなどを、ズーム表示時の表示サイズに比べて小さく縮めて縮小表示させたものである。【００２６】
なお、ＣＰＵ１０１が表示モニタ３０へ音響信号を供給し、映像のズーム表示とともに音を大きくするように制御していた場合、ステップＳ１０では元の（通常の）音の大きさに戻す。すなわち、ズーム表示時より小さい音にする。【００２７】
ステップＳ６において、ＣＰＵ１０１は表示されているスタートメニューがメニュー操作されたか否かを判定する。ＣＰＵ１０１は、リモコン制御部１０３または操作部材１０４から操作信号が入力されるとステップＳ６を肯定判定してステップＳ７へ進み、操作信号が入力されない場合には当該判定処理を繰り返す。【００２８】
＜メニュー処理＞
メニュー操作は、リモコン送信機１１および操作部材１０４のいずれからも可能である。ＣＰＵ１０１は、カーソルを移動させる操作信号がリモコン制御部１０３または操作部材１０４から入力されると、操作信号に応じてアイコン上のカーソル（たとえば、アイコン上の斜線）を移動させるように映像信号を生成し、生成した信号を通信制御部１０８から表示モニタ３０へ送信させる。ＣＰＵ１０１はさらに、「ＯＫ」ボタン操作を示す操作信号がリモコン制御部１０３または操作部材１０４から入力されると、その時点で表示モニタ３０の画面上でカーソルが位置するアイコン（たとえば「写真」アイコン）を選択する。【００２９】
図３のステップＳ７において、ＣＰＵ１０１はメニュー処理を行ってステップＳ８へ進む。メニュー処理の一例を以下に説明する。ユーザ（本例の場合は人物Ａ〜人物Ｃ）は、表示モニタ３０に表示されているアイコン（図４もしくは図５）の中から鑑賞したいコンテンツに対応するアイコン（たとえば、写真を鑑賞したい場合は「写真」アイコン）を選択する。ユーザがリモコン送信機１１または操作部材１０４を操作することにより、操作信号がＣＰＵ１０１へ入力される。【００３０】
＜写真鑑賞＞
「写真」アイコンを選択したＣＰＵ１０１は、「アルバム」メニュー画面の表示に必要な映像信号を生成し、生成した信号を通信制御部１０８から表示モニタ３０へ送信させる。図６および図７は、それぞれ表示モニタ３０に表示される「アルバム」メニュー画面を例示する図である。図６は通常表示の場合を示し、図７はズーム表示の場合を示す。「アルバム」メニュー画面には、アルバム「Ａ」アイコン、アルバム「Ｂ」アイコン、…、アルバム「Ｆ」アイコンが表示される。アルバムアイコンの表示に当該アルバム内の代表画像（サムネイル）を含めて表示してもよい。【００３１】
アルバムアイコンは、通常ＨＤＤ１１０内に保存されているアルバムファイルを検索して表示するが、操作信号に応じてメモリスロット１１１内のメモリカードやディスクドライブ１１２内のＤＶＤからの検索も可能である。【００３２】
「アルバム」メニュー画面を表示モニタ３０に表示させたＣＰＵ１０１は、リモコン制御部１０３または操作部材１０４からカーソルを移動させる操作信号が入力されると、操作信号に応じてアイコン上のカーソルを移動させるように映像信号を生成し、生成した信号を通信制御部１０８から表示モニタ３０へ送信させる。ＣＰＵ１０１はさらに、「ＯＫ」ボタン操作を示す操作信号がリモコン制御部１０３または操作部材１０４から入力されると、その時点で表示モニタ３０の画面上でカーソルが位置するアルバムアイコンに対応する画像ファイルをＨＤＤ１１０（またはメモリカード、もしくはＤＶＤ）から読み出す。【００３３】
ＣＰＵ１０１は、読み出した内容を表示モニタ３０に再生表示させるための映像信号を生成し、生成した信号を通信制御部１０８から表示モニタ３０へ送信させる。これにより、表示モニタ３０によってアルバム再生が行われる。なお、ＣＰＵ１０１は、再生する画像ファイルに音楽ファイルが関連づけられている場合、当該音楽ファイルをＨＤＤ１１０（またはメモリカード、もしくはＤＶＤ）から読み出し、読み出した内容を表示モニタ３０に音響再生させるための音響信号を生成し、生成した信号を通信制御部１０８から表示モニタ３０へ送信させる。これにより、表示モニタ３０によって再生表示される映像に合わせて音楽が再生される。【００３４】
以上は写真鑑賞の例を説明したが、映画を鑑賞する「映画」アイコン、テレビ放送を鑑賞する「テレビ」アイコンが選択された場合も同様である。【００３５】
図４または図５における「設定」アイコンを選択したＣＰＵ１０１は、不図示の「設定」メニュー画面の表示に必要な映像信号を生成し、生成した信号を通信制御部１０８から表示モニタ３０へ送信させる。「設定」メニューによって設定される項目には、上述した「自動表示切替機能」のオン／オフ切替、表示モニタ３０の画面サイズ設定、後述する距離算出方式および鑑賞距離選択方式の選択指示、距離データなども含まれる。ＣＰＵ１０１は、たとえば「自動表示切替機能」アイコンを選択した上で、リモコン制御部１０３または操作部材１０４からの操作信号に応じて自動表示切替のオン／オフ切替を行う。【００３６】
ステップＳ８において、ＣＰＵ１０１は、終了指示されたか否かを判定する。ＣＰＵ１０１は、終了を指示する操作信号がリモコン制御部１０３または操作部材１０４から入力されるとステップＳ８を肯定判定し、所定の電源オフ処理を行って図３によるメイン処理を終了する。ＣＰＵ１０１は、終了を指示する操作信号が入力されない場合にはステップＳ８を否定判定し、ステップＳ１へ戻る。【００３７】
ステップＳ１へ戻る場合は再び距離算出処理（ステップＳ２）を行うので、表示モニタ３０を観察するユーザの鑑賞距離が前回の距離算出時と異なる場合には、新たに算出した鑑賞距離に応じた表示切替が行われる（ステップＳ５、ステップＳ１０）。【００３８】
＜距離算出処理＞
ＣＰＵ１０１は、以下の４通りの距離算出方式のうち、予め指示されている算出方式を用いて鑑賞距離を算出する。ＣＰＵ１０１が用いる距離算出方式は、予めメニュー処理の中で指示される。
（算出方式１）
算出方式１は、表示モニタ３０と電子カメラ２０との距離が表示モニタ３０とユーザとの間の距離に比較して非常に小さい場合のように、表示モニタ３０とユーザとの間の鑑賞距離が電子カメラ２０とユーザとの間の距離と略等しい場合に用いられる。ＣＰＵ１０１は、電子カメラ２０で検出される距離情報からユーザと表示モニタ３０との間の鑑賞距離を算出する。具体的には、電子カメラ２０のフォーカス調節を指示する制御信号と、電子カメラ２０のフォーカス調節情報を表示制御装置１０へ送信する指示の制御信号とを表示制御装置１０の通信制御部１０８から電子カメラ２０へ送信させる。これにより、ユーザを主要被写体としてフォーカス調節を行った電子カメラ２０から表示制御装置１０へフォーカス調節情報が送信される。なお、電子カメラ２０は表示モニタ３０を観察するユーザを含むように予め撮影画角が調節されている。【００３９】
フォーカス調節情報は、電子カメラ２０が位相差検出方式によりフォーカス調節を行う場合は位相差検出時のデフォーカス量とし、電子カメラ２０がコントラスト検出方式（いわゆる山登り方式）によりフォーカス調節を行う場合は、合焦位置に対応するフォーカス調節光学系の位置情報とする。ＣＰＵ１０１は、通信制御部１０８で受信されたフォーカス調節情報を用いて被写体距離（すなわち鑑賞距離）を算出する。フォーカス調節情報と被写体距離との関係は、関数データもしくはテーブルデータとして予めＣＰＵ１０１内のメモリ内に格納されている。【００４０】
（算出方式２）
算出方式２も、表示モニタ３０と電子カメラ２０との距離が表示モニタ３０とユーザとの間の距離に比較して非常に小さい場合のように、表示モニタ３０とユーザとの間の鑑賞距離が電子カメラ２０とユーザとの間の距離と略等しい場合に用いられる。ＣＰＵ１０１は、電子カメラ２０で撮影された画像からユーザと表示モニタ３０との間の鑑賞距離を算出する。具体的には、撮影を指示する制御信号と、撮影画像を表示制御装置１０へ送信する指示の制御信号とを通信制御部１０８から電子カメラ２０へ送信させる。これにより、撮影を行った電子カメラ２０から表示制御装置１０へ撮影画像が送信される。算出方式１と同様に、電子カメラ２０は表示モニタ３０を観察するユーザを含むように予め撮影画角が調節されている。【００４１】
ＣＰＵ１０１は、通信制御部１０８で受信された撮影画像について顔抽出を行う。顔抽出は、たとえば、特開平９−２５１５３４号公報（米国特許５９８２９１２号明細書）に開示されている技術を用いる。ＣＰＵ１０１は、撮影画像における顔領域が占める面積の比率を求め、この比率を用いて鑑賞距離を算出する。顔領域の比率と鑑賞距離との関係は、関数データもしくはテーブルデータとして予めＣＰＵ１０１内のメモリ内に格納されている。【００４２】
（算出方式３）
カメラが顔認識を行い、その顔までの距離情報を測定し、それを表示制御装置１０に送信する。【００４３】
（算出方式４）
算出方式４は、電子カメラ２０からの情報を用いずに表示モニタ３０とユーザとの間の鑑賞距離を取得する。たとえば、表示モニタ３０の前にソファー（不図示）が置かれ、ユーザがこのソファーに腰掛けて表示モニタ３０を観察する場合、表示モニタ３０とユーザとの間の鑑賞距離は表示モニタ３０とソファーとの間の距離と略等しい。ＣＰＵ１０１は、ＣＰＵ１０１内のメモリに予め格納されているデータが示すソファーまでの距離を表示モニタ３０とユーザとの間の鑑賞距離とする。【００４４】
以上説明した第一の実施形態によれば、次の作用効果が得られる。
（１）情報再生システム（表示システム）は、視聴するユーザと表示モニタ３０との間の鑑賞距離を算出し、表示モニタ３０に表示させる画像、文字、アイコンなどを通常サイズで表示させる通常表示と、通常表示時の表示サイズに比べて大きく引き延ばして拡大表示させるズーム表示とを、鑑賞距離に応じて切替える。ズーム表示に切替えることにより、表示モニタ３０から所定距離より離れて鑑賞するユーザにとって表示モニタ３０による表示内容が見やすい大きさになる。また、通常表示に切替えることにより、表示モニタ３０から所定距離以内で鑑賞するユーザに必要以上の大きさで情報を表示することがない。【００４５】
（２）鑑賞距離の算出方式について、算出方式１〜算出方式４のいずれかを選択可能に構成したので、たとえば、電子カメラ２０がフォーカス調節情報（測距情報）を送信可能な場合は「算出方式１」を用い、電子カメラ２０が撮影画像を送信可能な場合は「算出方式２」を用い、ユーザの視聴位置が決まっている場合や電子カメラ２０が使用不能の場合には「算出方式３」を用いることができ、状況に応じて適切な算出方式を使い分けることができる。【００４６】
（３）自動表示切替機能がオン設定されている場合、ステップＳ１〜ステップＳ８を繰り返すように構成し、繰り返しループの中に鑑賞距離算出（ステップＳ２）およびズーム表示／通常表示の切替（ステップＳ５、ステップＳ１０）を含めるようにしたので、鑑賞距離についてステップＳ３の判定内容が変化した際、ズーム表示への切替（ステップＳ５）および通常表示への切替（ステップＳ１０）をリアルタイムに行うことができる。【００４７】
（変形例１）
上記算出方式１および算出方式２では、表示モニタ３０と電子カメラ２０との距離が表示モニタ３０とユーザとの間の距離に比較して非常に小さい場合のように、表示モニタ３０およびユーザ間の距離（鑑賞距離）が電子カメラ２０およびユーザ間の距離と略等しい場合を説明したが、表示モニタ３０と電子カメラ２０との距離が表示モニタ３０とユーザとの間の距離に比較して非常に小さくない場合にも、本発明を適用してよい。この場合のＣＰＵ１０１は、算出方式１または算出方式２によって算出した電子カメラ２０とユーザとの距離と、表示モニタ３０および電子カメラ２０間の位置関係を用いて、三角法などにより変形例１における鑑賞距離を算出する。表示モニタ３０および電子カメラ２０間の位置関係は、予めメニュー処理の中で設定し、ＣＰＵ１０１内のメモリに格納しておく。【００４８】
（変形例２）
ズーム表示時のズーム倍率を、鑑賞距離に応じて変化させるようにしてもよい。鑑賞距離が長くなるほどズーム倍率を高くすれば、ユーザにとって表示モニタ３０による表示内容が見やすくなる。なお、ズーム倍率の変化は、無段階に連続的に変化させても、所定ステップごとに離散的に変化させてもよい。【００４９】
（変形例３）
図３のステップＳ６において否定判定された場合、ステップＳ１へ進むようにしてもよい。メニュー操作が行われるまで、常に最適な表示に変化することができるので、ユーザにとって表示モニタ３０による表示内容が見やすくなる。【００５０】
図９は、ＣＰＵ１０１が処理する上記変形例１〜３を図示した機能ブロック図である。【００５１】
（第二の実施形態）
図８は、第二の実施形態による情報再生システム（表示システム）を例示する図である。第一の実施形態と同様に、表示モニタ３０と電子カメラ２０との距離が表示モニタ３０とユーザとの間の距離に比較して非常に小さい場合のように、表示モニタ３０およびユーザ間の鑑賞距離は、電子カメラ２０およびユーザ間の距離と略等しい。図８が図１と相違する点は、人物Ａ、人物Ｂおよび人物Ｃの３人の鑑賞距離がそれぞれ異なっている点である。第二の実施形態のＣＰＵ１０１は、複数の各ユーザについての鑑賞距離をそれぞれ算出する。各ユーザについての鑑賞距離の算出は、以下の３通りの距離算出方式のうち、予め指示されている算出方式を用いて算出する。ＣＰＵ１０１が用いる距離算出方式は、予めメニュー処理の中で指示される。【００５２】
（算出方式５）
算出方式５は、撮影範囲を所定領域ごとに分割し、各分割領域で取得されたフォーカス調節情報を用いて、分割領域ごとの鑑賞距離を算出する。各分割領域では、当該領域に含まれるユーザについて鑑賞距離が算出される。この場合のＣＰＵ１０１は、分割領域ごとにフォーカス調節を指示する制御信号と、電子カメラ２０のフォーカス調節情報を表示制御装置１０へ送信する指示の制御信号とを表示制御装置１０の通信制御部１０８から電子カメラ２０へ送信させる。これにより、各分割領域でフォーカス調節を行った電子カメラ２０から表示制御装置１０へ分割領域ごとのフォーカス調節情報が送信される。なお、電子カメラ２０は表示モニタ３０を観察するユーザを含むように予め撮影画角が調節されている。【００５３】
フォーカス調節情報は、たとえば、電子カメラ２０が位相差検出方式によりフォーカス調節を行う場合は位相差検出時のデフォーカス量とし、電子カメラ２０がコントラスト検出方式（いわゆる山登り方式）によりフォーカス調節を行う場合は、合焦位置に対応するフォーカス調節光学系の位置情報とする。ＣＰＵ１０１は、通信制御部１０８で受信されたフォーカス調節情報を用いて、分割領域ごとに被写体距離（すなわち鑑賞距離）をそれぞれ算出する。【００５４】
（算出方式６）
算出方式６は、撮影画像から複数の顔領域を抽出し、それぞれの顔領域について鑑賞距離を算出する。この場合のＣＰＵ１０１は、算出方式２と同様に、撮影を指示する制御信号と、撮影画像を表示制御装置１０へ送信する指示の制御信号とを通信制御部１０８から電子カメラ２０へ送信させる。これにより、撮影を行った電子カメラ２０から表示制御装置１０へ撮影画像が送信される。なお、電子カメラ２０は表示モニタ３０を観察するユーザを含むように予め撮影画角が調節されている。【００５５】
ＣＰＵ１０１は、通信制御部１０８で受信された撮影画像について顔抽出を行う。顔抽出技術については上記算出方式２の場合と同様である。ＣＰＵ１０１はさらに、抽出した複数の顔領域のそれぞれについて撮影画像における当該顔領域が占める面積の比率を求め、この比率を用いて各ユーザについての鑑賞距離をそれぞれ算出する。【００５６】
（算出方式７）
カメラが顔認識を行い、複数の顔それぞれまでの距離情報を測定し、それらを表示制御装置１０に送信する。【００５７】
ＣＰＵ１０１は、以下の３通りの鑑賞距離選択方式のうち、予め指示されている選択方式を用いて、複数のユーザに対応する複数の鑑賞距離から１つの鑑賞距離を選択する。ＣＰＵ１０１が用いる鑑賞距離選択方式は、予めメニュー処理の中で指示される。【００５８】
（選択方式１）
選択方式１では、複数の鑑賞距離の中から最も遠距離のものを選択する。
（選択方式２）
選択方式２では、複数の鑑賞距離の中から最も近距離のものを選択する。
（選択方式３）
選択方式３では、複数の鑑賞距離の平均距離を選択する。【００５９】
以上説明した第二の実施形態によれば、次の作用効果が得られる。
（１）鑑賞距離の算出方式について、算出方式５〜算出方式７を選択可能に構成したので、たとえば、電子カメラ２０がフォーカス調節情報（測距情報）を送信可能な場合は「算出方式５」を用い、電子カメラ２０が撮影画像を送信可能な場合は「算出方式６」を用い、状況に応じて適切な算出方式を使い分けることができる。【００６０】
（２）算出方式５〜算出方式７は、それぞれ複数のユーザに関して鑑賞距離を算出する構成としたので、個々のユーザの鑑賞距離がそれぞれ異なっている場合にも、それぞれの鑑賞距離を算出できる。【００６１】
（３）ステップＳ３の判定に用いる鑑賞距離の選択方式について、選択方式１〜選択方式３のいずれかを選択可能に構成したので、たとえば、個々のユーザの鑑賞距離差が所定値より大きい場合は「選択方式１」を選択し、個々のユーザの鑑賞距離差が所定値未満の場合は「選択方式２」を選択し、ユーザが所定数以上の場合には「選択方式３」を選択すれば、状況に応じて適切な選択方式を使い分けることができる。【００６２】
（第三の実施形態）
第三の実施形態では、撮影画像から複数の顔領域を抽出し、抽出した顔領域データを用いて予め登録されている人物を識別する。そして、識別した人物情報に基づいて、複数のユーザに対応する複数の鑑賞距離から１つの鑑賞距離を選択する。【００６３】
＜認識処理＞
ＣＰＵ１０１は、上述した算出方式６または７により、抽出した複数の顔領域のそれぞれに対応する各ユーザについての鑑賞距離をそれぞれ算出するとともに、抽出した複数の顔領域のそれぞれについてユーザ認識処理を行う。ユーザ認識処理は、上記文献（特開平９−２５１５３４号公報（米国特許５９８２９１２号明細書））に開示されている技術を用いる。上記公報に開示される技術は、撮影画像から人物の顔領域を抽出し、抽出した顔領域から特徴点データを取得し、この特徴点データを用いて予め登録されている人物を識別するものである。【００６４】
ＣＰＵ１０１は、通信制御部１０８へ指示および映像信号を送り、電子カメラ２０が撮影した画像の再生表示を表示モニタ３０に行わせる。ＣＰＵ１０１は抽出した顔領域から特徴点データを取得し、取得したデータについてデータベースとの照合を行う。具体的には、特徴点データから生成される正規化画像と、予めデータベースに登録されている登録者の辞書画像とを比較する。【００６５】
ＣＰＵ１０１は、抽出した顔について、上記正規化画像との間の類似度が所定値以上となる辞書画像がデータベースに登録されている場合、抽出した顔の人物を認証する。一方、ＣＰＵ１０１は、抽出した顔について、上記正規化画像との間で類似度が所定値以上となる辞書画像がデータベースに登録されていなければ、抽出した顔の人物を認証しない。データベースには、登録者の辞書画像の他に、当該登録者の年齢や視力を示すデータも格納されている。【００６６】
ＣＰＵ１０１は、以下の３通りの鑑賞距離選択方式のうち、予め指示されている選択方式を用いて、複数のユーザに対応する複数の鑑賞距離から１つの鑑賞距離を選択する。ＣＰＵ１０１が用いる鑑賞距離選択方式は、予めメニュー処理の中で指示される。【００６７】
（選択方式４）
選択方式４では、複数の鑑賞距離の中から、認証した人物の顔に対応する鑑賞距離を選択する。認証した人物が複数の場合は最も遠距離のものを選択する。
（選択方式５）
選択方式５では、複数の鑑賞距離の中から、認証していない人物の顔に対応する鑑賞距離を選択する。認証していない人物が複数の場合は最も遠距離のものを選択する。
（選択方式６）
選択方式６では、複数の鑑賞距離の中から、認証した人物であって当該人物についてのデータベースに視力が弱い旨の情報が記録されている人物の顔に対応する鑑賞距離を選択する。
（選択方式７）
選択方式７では、複数の鑑賞距離の中から、認証した人物であって当該人物についてのデータベースに高齢である旨の情報が記録されている人物の顔に対応する鑑賞距離を選択する。同年齢の人物を複数認証した場合は最も遠距離の鑑賞距離を選択する。【００６８】
以上説明した第三の実施形態によれば、次の作用効果が得られる。
（１）情報再生装置は、複数のユーザについて鑑賞距離を算出するとともに各ユーザの認証を行うようにした。これにより、認証ユーザか否か、または認証ユーザに応じて、異なる制御を行うことができる。【００６９】
（２）ステップＳ３の判定に用いる鑑賞距離の選択方式について、選択方式４〜選択方式７のいずれかを選択可能に構成したので、たとえば、情報再生装置の所有者などの利用頻度が高いユーザにとって見やすいように制御する場合は「選択方式４」を選択し、ゲストなどの利用頻度が低いユーザにとって見やすいように制御する場合は「選択方式５」を選択し、視力が弱いユーザにとって見やすいように制御する場合は「選択方式６」を選択し、高齢ユーザにとって見やすいように制御する場合は「選択方式７」を選択すれば、状況に応じて適切な選択方式を使い分けることができる。【００７０】
（変形例４）
上述したズーム表示への切替（ステップＳ５）および通常表示への切替（ステップＳ１０）は、電子カメラ２０からの受信情報に基づいて行うステップＳ３の判定に続いてリアルタイムに行うようにしたが、表示モニタ３０の表示内容を切替えるタイミングで行うようにしてもよい。具体的には、表示モニタ３０の表示内容が継続中の場合はステップＳ５、ステップＳ１０をそれぞれスキップしてステップＳ６へ進み、表示モニタ３０の表示内容を更新する（表示中の画像を他の画像に切替る、表示中のメニューを他のメニューに切替る、メニュー表示を終了する、メニュー表示を開始する等）場合にステップＳ５、ステップＳ１０の処理を行う。表示内容の更新タイミングに合わせてズーム表示／通常表示の切替を行うことにより、表示内容が同じで表示の大きさのみが突然変化することを防止できるので、表示モニタ３０を観察中のユーザに与える違和感を抑えることができる。【００７１】
（変形例５）
さらに、表示モニタ３０の表示内容を切替えるタイミングであることに加えて、鑑賞距離の変化が所定量を超えている場合にステップＳ５、ステップＳ１０の処理を行うように構成してもよい。これにより、ズーム表示／通常表示の切替頻度を抑えることができるので、表示モニタ３０を観察中のユーザに与える違和感をさらに抑えることができる。【００７２】
（変形例６）
上述した鑑賞距離算出処理（ステップＳ２）を、指示されたタイミングで行うように構成してもよい。具体的には、リモコン制御部１０３または操作部材１０４からの鑑賞距離算出を指示する操作信号に応じてステップＳ２の処理を行い、リモコン制御部１０３または操作部材１０４から鑑賞距離算出を指示する操作信号が入力されない場合には、ステップＳ２をスキップしてステップＳ３へ進む。これにより、ユーザが望むタイミングでズーム表示／通常表示の切替を行うことができる。【００７３】
（変形例７）
上述した鑑賞距離算出処理（ステップＳ２）を、所定間隔（たとえば、３分）ごとに行うように構成してもよい。具体的には、タイマー割り込み信号に応じてステップＳ２の処理を行い、タイマー割り込み信号が入力されない場合にはステップＳ２をスキップしてステップＳ３へ進む。これにより、一定時間ごとに鑑賞距離を算出し、算出結果に応じてズーム表示／通常表示の切替を行うことができる。【００７４】
図１０は、ＣＰＵ１０１が処理する上記変形例４〜７を図示した機能ブロック図である。【００７５】
（変形例８）
表示モニタ３０にテレビ放送を受信するＴＶチューナー４０を備え、復調した映像および音声を再生するテレビジョンセット５０で構成しても構わない。図１１は、このテレビジョンセット５０、再生装置１０、電子カメラ２０から構成される再生システム（表示システム）を示すブロック図である。また、テレビジョンセット５０自体が再生システム（表示システム）となり、再生装置１０まで含むようにしてもよい。さらに、再生システム（表示システム）であるテレビジョンセット５０が、電子カメラ２０まで含むようにしてもよい。【００７６】
（変形例９）
表示制御装置１０、電子カメラ２０および表示モニタ３０を組み合わせて情報再生システム（表示システム）を構成する例を説明したが、表示制御装置１０に電子カメラ２０を内蔵したり、表示モニタ３０に電子カメラ２０を内蔵したり、テレビジョンセットに電子カメラ２０を内蔵したり、表示制御装置１０およびテレビジョンセットを一体に構成したり、あるいは、表示制御装置１０、電子カメラ２０および表示モニタ３０を一体に構成してもよい。【００７７】
（変形例１０）
第１の実施の形態〜第３の実施の形態の再生装置１０を、パーソナルコンピュータなどのコンピュータで実現するようにしてもよい。この場合、前述したプログラムは、ＣＤ−ＲＯＭなどの記録媒体やインターネットなどのデータ信号を通じて提供することができる。図１２はその様子を示す図である。パーソナルコンピュータ２００は、ＣＤ−ＲＯＭ２０４を介してプログラムの提供を受ける。また、パーソナルコンピュータ２００は通信回線２０１との接続機能を有する。コンピュータ２０２は上記プログラムを提供するサーバーコンピュータであり、ハードディスク２０３などの記録媒体にプログラムを格納する。通信回線２０１は、インターネットなどの通信回線、あるいは専用通信回線などである。コンピュータ２０２はハードディスク２０３を使用してプログラムを読み出し、通信回線２０１を介してプログラムをパーソナルコンピュータ２００に送信する。すなわち、プログラムをデータ信号として搬送波にのせて、通信回線２０１を介して送信する。このように、プログラムは、記録媒体や信号（搬送波）などの種々の形態のコンピュータ読み込み可能なコンピュータプログラム製品として供給できる。【００７８】
なお、パーソナルコンピュータ２００は、電子カメラ２０と表示モニタ３０と接続される。表示モニタ３０は、パーソナルコンピュータ２００から独立したモニタあるいはテレビジョンセットのモニタである。しかし、パーソナルコンピュータ２００のモニタを使用してもよい。【００７９】
以上の説明はあくまで一例であり、上記の実施形態の構成に何ら限定されるものではない。第一の実施形態〜第三の実施形態および変形例１〜変形例９は、それぞれを適宜組合わせて構成しても構わない。本発明の技術的思想の範囲内で考えられるその他の態様も本発明の範囲内に含まれる。【００８０】
次の優先権基礎出願および公開公報の開示内容は引用文としてここに組み込まれる。
日本国特許出願２００６年第１９３０５２号（２００６年７月１３日出願）
米国特許５９８２９１２号明細書
【図１】
0005321060.tif 000002
【図２】
0005321060.tif 000003
【図３】
0005321060.tif 000004
【図４】
0005321060.tif 000005
【図５】
0005321060.tif 000006
【図６】
0005321060.tif 000007
【図７】
0005321060.tif 000008
【図８】
0005321060.tif 000009
【図９】
0005321060.tif 000010
【図１０】
0005321060.tif 000011
【図１１】
0005321060.tif 000012
【図１２】
0005321060.tif 000013